(57)【要約】      （修正有）【課題】ダフらずに打ち込むことで正しい軌道で打てたか否か自ら確認できることとし、ゴルフスイングの欠点を解決しようとする練習用ゴルフマットを提供する。【解決手段マット本体１と、このマット本体に設けられるボールティー２と、このボールティーの前方位置に装備されると共に、表面が露出し、且つゴルフクラブの打込みに際しそのゴルフクラブのソール面とエッジ面に順応して回転する前方側ローラー３とで、成したことを特徴とする。【選択図】図１
0003172767.tif 000002
【実用新案登録請求の範囲】
【請求項１】
マット本体と、このマット本体に設けられるボールティーと、このボールティーの前方位置に装備されると共に、表面が露出し、且つゴルフクラブの打込みに際しそのゴルフクラブのソール面とエッジ面に順応して回転する前方側ローラーとで成したことを特徴とした練習用ゴルフマット。
【請求項２】
マット本体と、このマット本体に設けられるボールティーと、このボールティーの後方位置に装備されると共に、表面が露出し、且つゴルフクラブの打込みに際しそのゴルフクラブのソール面とエッジ面に順応して回転する後方側ローラーとで成したことを特徴とした練習用ゴルフマット。
【請求項３】
前記の前方側ローラーは、後方に後方側ローラーを併せ持つことを特徴とした請求項１記載の練習用ゴルフマット。
【請求項４】
前記マット本体は、ボールティーから前方側ローラーに亘って、前下り傾斜面としたことを特徴とする請求項１〜３の何れか１記載の練習用ゴルフマット。
【請求項５】
前記ローラーは、ゴルフクラブの打込み方向に対し、複数個配列したことを特徴とした請求項１〜４の何れか１記載の練習用ゴルフマット。
１
【考案の詳細な説明】
【技術分野】
【０００１】
本考案は、スイング軌道を修正するためにボールの打ち込みとダフリを確認できる練習用ゴルフマットに関するものである。
【背景技術】
【０００２】
一般的にゴルフスイングの欠点を修正するには他人のアドバイスやビデオ等で確認しており、従来のゴルフマットではダフリやボールの打ち込みが判別しにくかった。
【考案の概要】
【考案が解決しようとする課題】
【０００３】
ダフらずに打ち込むことで正しい軌道で打てたか否か自ら確認できることとし、ゴルフスイングの欠点を解決しようとするものである。
【課題を解決するための手段】
【０００４】
本考案は、マット本体と、このマット本体に設けられるボールティーと、このボールティーの前方位置に装備されると共に、表面が露出し、且つゴルフクラブの打込みに際しそのゴルフクラブのソール面とエッジ面に順応して回転する前方側ローラーとで、成したことを特徴としたものである。
更に本考案は、マット本体と、このマット本体に設けられるボールティーと、このボールティーの後方位置に装備されると共に、表面が露出し、且つゴルフクラブの打込みに際しそのゴルフクラブのソール面とエッジ面に順応して回転する後方側ローラーとで、成したことを特徴としたものである。
又本考案は、前記請求項１の前方側ローラーと、前記請求項２の後方側ローラーの両方を併せ持つことを特徴としたものである。
而も本考案は、マット本体と、このマット本体に設けられるボールティーと、このボールティーの前方で而も前方向に傾斜した前記マットに沿って装備されると共に、表面が露出し、且つゴルフクラブの打込みに際しそのゴルフクラブのソール面とエッジ面に順応して回転する前方側ローラーとで、成したことを特徴としたものである。
又本考案は、前記ローラーを複数個としたことを特徴として、請求項１〜４のいずれか１記載の練習用ゴルフマット。
【考案の効果】
【０００５】
（１）請求項１により、ゴルフクラブの軌道の最下点がゴルフボールの前方になる打込み方の技術が向上する。
（２）請求項２により、ゴルフクラブの軌道がゴルフボールの後方にずれる、いわゆるダフリ現象を防ぐ技術が向上する。
（３）請求項３により、更に打込み方とダフリ現象を防ぐ両方の技術が自ら確認できることが向上する。
（４）請求項４により、上記の打込み方の技術が一層向上し、且つボールティーの前方へのゴルフクラブの抜けがよりスムーズになる効果がある。
（５）請求項５により、打込み方とダフリの予防、又その両方の確認、更にゴルフクラブの抜けがスムーズになる等の効果がある。
【図面の簡単な説明】
【０００６】
【図１】練習用ゴルフマットの第１実施例を示す斜視図
【図２】同上の第２実施例を示す斜視図
【図３】同上の第３実施例を示す一部切欠断面図
【図４】同上の第４実施例を示す一部切欠断面図
【図５】同上の第５実施例を示す一部切欠断面図
【図６】同上の第６実施例を示す一部切欠断面図
【図７】同上の第７実施例を示す一部切欠断面図
【図８】同上の第８実施例を示す一部切欠断面図
【図９】同上の第９実施例を示す一部切欠断面図
【図１０】同上の第１０実施例を示す一部切欠平面図
【考案を実施するための形態】
【０００７】
以下、本考案を実施例として掲げた図面に基づいて説明すると、図１は練習用ゴルフマットの第１実施例を示す斜視図であって、マット本体１にはゴム製のボールティー２がセットされている。しかして、このボールティー２の前方位置に前方側ローラー３を複数個配列し、且つボールティー２の後方位置には後方側ローラー４が複数個配列している。更にボールティー２から前方側ローラー３に亘って前下りに傾斜し、この傾斜面５ａに前方側ローラー３が位置している。したがってゴルフクラブｂがより自然に進行方向に抜ける事が出来、正しい軌道で打てたか否かを自ら確認できる。而して前方側ローラー３並びに後方側ローラー４はゴルフクラブｂのソール面、及びエッジ面に順応して回転する構造である為、両ローラーの表面はゴルフクラブｂの衝撃に耐え、且つゴルフクラブｂを傷つける事のない素材とする。例えは、ウレタン製、プラスチック製、人工芝製が考えられる。
【０００８】
図２はマット本体１の表面５をフラットとし、且つ前方側ローラー３と後方側ローラー４を併せ持つと共に夫々１本配列している斜視図であって、マット本体１と同じ機能である。
【０００９】
図３は図１に於ける前方側ローラー３の拡大一部切欠断面図であり、具体的には前方側ローラー３をマット本体１の凹部に埋め込み、前方側ローラー３の表面をマット表面５より少し上に出す。正しいスイング軌道で打ち込むとゴルフクラブｂがｂ１〜ｂ２に移動する。ゴルフクラブｂのソール面及びエッジ面が前方側ローラー３の表面を擦ることにより前方側ローラー３が勢いよく回転する。又、傾斜面５ａにすることによってゴルフクラブｂがよりスムーズに進行方向Ｘに抜ける事ができる。又、前方側ローラー３を複数個にすることにより各々のローラーの径が小さくなりマット本体１の厚みを薄くすることができる。而して、ローラーの回転軸の支柱は凹部の底面に固定しゴルフクラブｂの衝撃を吸収できる適宜素材とする。例えば、ゴム製、バネ性、バネ内蔵型が考えられる。
【００１０】
図４は図１に於ける後方側ローラー４の拡大一部切欠断面図である。後側ローラー４もマット本体１の凹部に埋め込み、ローラー表面をマット表面５より少し上に出す。スイング軌道がダフるとゴルフボールａに当たるよりも先にゴルフクラブｂがｂ１〜ｂ２に移動する為、ゴルフクラブｂのソール面及びエッジ面が後方側ローラー４の表面を擦りローラーが回転する為、スイング軌道が外れたか否か確認できる。
【００１１】
図５は図２に於ける前方側ローラー３の拡大一部切欠断面図である。具体的にはボールティー２前方のマット表面５をフラットとし、この面の凹部に前方側ローラー３を一本配列している。構造並びに効果は図３の前方側ローラー３と同等である。
【００１２】
図６は図２に於ける後方側ローラー４の拡大一部切欠断面図である。具体的にはボールティー２の後方のマット本体１の凹部に後方側ローラー４を１本配列している。構造並びに効果は図４の後方側ローラー４と同等である。
【００１３】
図７は図３於ける前方側ローラー３を１本にした拡大一部切欠断面図である。構造並びに効果は図３の前方側ローラー３と同等である。
【００１４】
図８は図５に於ける前方側ローラー３を複数個にした拡大一部切欠断面図である。構造並びに効果は図５と同等である。
【００１５】
図９は前方側ローラー３をマット本体１の正面から見た拡大一部切欠断面図である。
【００１６】
図１０は前方側ローラー３を複数個にした拡大切欠平面図である。
【符号の説明】
【００１７】
１    マット本体。
２    ボールティー。
３    前方側ローラー
４    後方側ローラー。
５    マット表面。
５ａ  傾斜面。
６    回転軸。
ａ    ゴルフボール。
ｂ    ゴルフクラブ。
Ｘ    進行方向。
１
【図１】
0003172767.tif 000003
【図２】
0003172767.tif 000004
【図３】
0003172767.tif 000005
【図４】
0003172767.tif 000006
【図５】
0003172767.tif 000007
【図６】
0003172767.tif 000008
【図７】
0003172767.tif 000009
【図８】
0003172767.tif 000010
【図９】
0003172767.tif 000011
【図１０】
0003172767.tif 000012